(57)【要約】【課題】２つのデバイスで共用される操作表示部において、画面の表示元デバイスの切替操作に伴って画面がブラックアウトすることを抑制しつつ、切替後デバイスに関する操作を行うことが可能な技術を提供する。【解決手段】ＭＦＰ１０は、サーバデバイス２０と画像形成デバイス３０と両デバイス２０，３０で共用される操作表示部４０とを備える。サーバデバイス２０は、画像形成デバイス３０用の複数の画面を操作表示部４０で表示するための複数の画面データのうちの一部の画面データをも有している。サーバデバイス２０は、操作表示部４０の利用デバイスをサーバデバイス２０から画像形成デバイス３０へと切り替えるべき旨の切替操作を受け付けた場合において、当該切替操作に応じて画像形成デバイス３０に関して表示すべき画面の画面データがサーバデバイス２０内に存在するときには、当該画面データを用いて画面を表示する。【選択図】図１３
2018134845.tif 000002
【特許請求の範囲】
【請求項１】
情報処理装置であって、
第１のデバイスと、
第２のデバイスと、
前記第１のデバイスと前記第２のデバイスとで共用される操作表示部と、
を備え、
前記第１のデバイスおよび前記第２のデバイスは、それぞれ、自デバイス用の各画面を前記操作表示部で表示するための各画面データを有しており、
前記第１のデバイスは、前記第２のデバイス用の複数の画面を前記操作表示部で表示するための複数の画面データのうちの一部の画面データをも有しており、
前記第１のデバイスは、前記操作表示部の利用デバイスを前記第１のデバイスから前記第２のデバイスに切り替えるべき旨の第１の切替操作を受け付けた場合において、前記第１の切替操作に応じて前記第２のデバイスに関して表示すべき第１の画面の画面データである第１の画面データが前記第１のデバイス内に存在するときには、前記第１のデバイス内の前記一部の画面データのうちの前記第１の画面データを用いて、前記第１の画面を表示することを特徴とする情報処理装置。
【請求項２】
請求項１に記載の情報処理装置において、
前記第１のデバイスは、前記第１の画面データを前記操作表示部に表示させた後において前記操作表示部の利用デバイスを前記第１のデバイスから前記第２のデバイスに切り替えるべき旨の第２の切替操作を受け付けた場合において、前記第２の切替操作に応じて前記第２のデバイスに関して表示すべき第２の画面の画面データである第２の画面データが前記第１のデバイス内に存在しないときには、前記操作表示部での表示権限を前記第２のデバイスに移管して前記第２のデバイスによって前記第２の画面を前記操作表示部に表示させることを特徴とする情報処理装置。
【請求項３】
請求項２に記載の情報処理装置において、
前記第１のデバイスは、前記第２の切替操作を受け付けた場合において前記操作表示部での表示権限を前記第２のデバイスに移管する際に、前記第１の画面データを用いて前記第１のデバイスによって受け付けた設定変更情報を前記第２のデバイスに通知することを特徴とする情報処理装置。
【請求項４】
請求項３に記載の情報処理装置において、
前記第１のデバイスは、前記第２の切替操作を受け付けた場合において前記操作表示部での表示権限を前記第２のデバイスに移管する際に、次に表示すべき画面の情報を前記第２のデバイスに通知することを特徴とする情報処理装置。
【請求項５】
請求項１から請求項４のいずれかに記載の情報処理装置において、
前記第２のデバイスは、第１の電力モードと前記第１の電力モードにおける消費電力よりも小さい消費電力で動作する省電力モードとを含む複数の電力モードの間での遷移を実行する電力モード制御手段と、
前記第１のデバイスは、前記第１の切替操作を受け付けたことに応答して、前記省電力モードから前記第１の電力モードへの復帰指令を前記第２のデバイスに送出することを特徴とする情報処理装置。
【請求項６】
請求項１から請求項４のいずれかに記載の情報処理装置において、
前記第２のデバイスは、
前記第２のデバイスにおける監視対象要素に関する情報を検出する検出手段と、
前記第２のデバイスは、第１の電力モードと前記第１の電力モードにおける消費電力よりも小さい消費電力で動作する省電力モードとを含む複数の電力モードの間での遷移を実行する電力モード制御手段と、
前記第１の電力モードから前記省電力モードへのモード遷移の直前において、前記第２のデバイスにおける監視対象要素に関する検出情報を前記第１のデバイスに通知する通知手段と、
を有し、
前記第１のデバイスは、前記検出情報を反映させた状態の画面を前記操作表示部に表示させることを特徴とする情報処理装置。
【請求項７】
請求項６に記載の情報処理装置において、
前記省電力モードは、前記第１の電力モードにおける消費電力よりも小さな消費電力で動作する第２の電力モードと、前記第２の電力モードにおける消費電力よりも更に小さな消費電力で動作する第３の電力モードとを含み、
前記検出手段は、前記第３の電力モードでは動作不可能であり且つ前記第２の電力モードでは動作可能であり、
前記第２のデバイスは、前記第１の電力モードから前記省電力モードへの前記モード遷移の後において前記第２の電力モードでの動作中に前記検出手段によって検出された情報を、前記第１のデバイスに通知することを特徴とする情報処理装置。
【請求項８】
請求項７に記載の情報処理装置において、
前記第２のデバイスは、前記第１の電力モードから前記省電力モードへの前記モード遷移の直前に検出された情報に対して変更された情報であって、前記モード遷移の後において前記第２の電力モードでの動作中に前記検出手段によって検出された情報である変更情報が発生する度に、前記変更情報を前記第１のデバイスに通知し、
前記第１のデバイスは、前記変更情報を反映させた状態の画面を前記操作表示部に表示させることを特徴とする情報処理装置。
【請求項９】
請求項７に記載の情報処理装置において、
前記第１のデバイスは、前記検出情報に関する最新情報を前記第１のデバイスに対して通知すべき旨の最新情報通知要求を前記第２のデバイスに対して通知し、
前記第２のデバイスは、前記最新情報通知要求に応じて前記最新情報を前記第１のデバイスに通知し、
前記第１のデバイスは、前記最新情報を反映させた状態の画面を前記操作表示部に表示させることを特徴とする情報処理装置。
【請求項１０】
請求項９に記載の情報処理装置において、
前記最新情報通知要求は、複数の情報項目のうちの特定項目の検出情報に関する最新情報を前記第２のデバイスに対して通知すべき旨の通知要求であり、
前記第２のデバイスは、前記最新情報通知要求に応じて、前記複数の情報項目のうちの前記特定項目の前記検出情報に関する前記最新情報を前記第１のデバイスに通知することを特徴とする情報処理装置。
【請求項１１】
請求項７から請求項１０のいずれかに記載の情報処理装置において、
前記第１のデバイスは、前記第２のデバイスが前記第３の電力モードに遷移している場合には、特定のタイミングにおいて前記第３の電力モードから前記第２の電力モードへの移行指令を前記第２のデバイスに通知し、前記第２のデバイスの電力モードを前記第２の電力モードに遷移させることを特徴とする情報処理装置。
【請求項１２】
請求項１から請求項１１のいずれかに記載の情報処理装置において、
前記第１の切替操作は、前記操作表示部の特定のハードウエアキーあるいは前記操作表示部の特定のソフトウエアキーを用いた画面呼出操作を含むことを特徴とする情報処理装置。
【請求項１３】
請求項２から請求項４のいずれかに記載の情報処理装置において、
前記第２の切替操作は、特定のハードウエアキーあるいは特定のソフトウエアキーを用いた前記第２の画面の呼出操作を含むことを特徴とする情報処理装置。
【請求項１４】
請求項２から請求項４のいずれかに記載の情報処理装置において、
前記第２の切替操作は、ＵＳＢメモリを前記第２のデバイスに装着する操作を含むことを特徴とする情報処理装置。
【請求項１５】
請求項１から請求項１４のいずれかに記載の情報処理装置において、
前記第１のデバイスは、サーバデバイスであり、
前記第２のデバイスは、画像形成デバイスであることを特徴とする情報処理装置。
【請求項１６】
情報処理装置に設けられた第１のデバイスに内蔵されるコンピュータに、
ａ）情報処理装置に設けられた第２のデバイスと前記第１のデバイスとによって共用される操作表示部の利用デバイスを前記第１のデバイスから前記第２のデバイスに切り替えるべき旨の第１の切替操作を受け付けるステップと、
ｂ）前記第１の切替操作を受け付けた場合において、前記操作表示部の表示権限を前記第２のデバイスに移管するか否かを判定するステップと、
を実行させるためのプログラムであって、
前記第１のデバイスおよび前記第２のデバイスは、それぞれ、自デバイス用の各画面を前記操作表示部で表示するための各画面データを有しており、
前記第１のデバイスは、前記第２のデバイス用の複数の画面を前記操作表示部で表示するための複数の画面データのうちの一部の画面データをも有しており、
前記ステップｂ）においては、前記第１の切替操作に応じて前記第２のデバイスに関して表示すべき第１の画面の画面データである第１の画面データが前記第１のデバイス内に存在するときには、前記操作表示部の表示権限を前記第２のデバイスに移管せず、前記第１のデバイス内の前記一部の画面データのうちの前記第１の画面データを用いて、前記第１の画面を表示することを特徴とするプログラム。
【発明の詳細な説明】
【技術分野】
【０００１】
本発明は、ＭＦＰ（マルチ・ファンクション・ペリフェラル（Multi-Functional Peripheral））などの情報処理装置およびそれに関連する技術に関する。
【背景技術】
【０００２】
ＭＦＰにおいて、当該ＭＦＰの内部に準備された画面データを用いて各種の設定用画面が当該ＭＦＰの操作表示部（詳細にはタッチパネル）に表示される技術が存在する（特許文献１等参照）。
【先行技術文献】
【特許文献】
【０００３】
【特許文献１】特開２０１３−５９９８６号公報
【発明の概要】
【発明が解決しようとする課題】
【０００４】
ところで、本願出願人は、独立して動作する複数のデバイス（たとえば、画像形成デバイス（旧来のＭＦＰ等）に加えてサーバデバイス（いわゆるサーバコンピュータ装置）を含む複数のデバイス）を１つの画像処理装置（ＭＦＰ）内に設けることを案出した。さらに、本願出願人は、そのような１つの画像処理装置において、１つの操作表示部を当該複数のデバイスで共用することをも案出した。なお、複数のデバイスを統合する当該技術によれば、オフィス環境等における省スペース化の要請および／または管理容易化の要請等に応えることが可能である。
【０００５】
複数のデバイスで１つの操作表示部を共用する場合には、一方のデバイス（切替前デバイス）から他方のデバイス（切替後デバイス）へと画面を切り替えることが行われる。たとえば、サーバデバイス（切替前デバイス）から画像形成デバイス（切替後デバイス）へと、操作表示部４０の表示用データの供給元デバイス（送出元デバイス）を切り替える切替処理が行われる。
【０００６】
しかしながら、操作表示部４０の表示用データの供給元デバイス（送出元デバイス）がサーバデバイス２０から画像形成デバイス３０へと切り替えられる際に画像形成デバイス３０（切替後デバイス）がスリープ状態を有している場合には、次のような問題が生じる。
【０００７】
画面表示の切替時点において切替後デバイスがスリープ状態を有する場合には、切替後デバイスがスリープから復帰した後に新たな画面（切替後デバイスの表示画面）が表示される。
【０００８】
たとえば、画像形成デバイス３０が比較的深いスリープ状態（ディープスリープ状態）を有していた場合には、画像形成デバイス３０のＣＰＵ等が再起動してから初期化処理が完了するまでの期間においては、操作表示部４０は画像形成デバイス３０用の画面を表示することができない。より詳細には、仮に、切替操作を受け付けた時点（切替操作受付時点）で表示用データの送出元デバイスが直ちに切替後デバイスに切り替えられる場合には、当該切替操作受付時点から初期化処理完了時点までに至る比較的長い時間（たとえば、十秒程度）に亘って、操作表示部（タッチパネル等）に正規の表示画面が表示されなくなる（たとえば、真っ黒の画面（ブラックアウト画面）が表示される）。また、仮に、画像形成デバイス３０の再起動後の初期化処理完了時点まで待った後に、表示用データの送出元デバイスが切替後デバイスに切り替えられる場合には、ユーザは、（切替操作受付時点から）初期化処理完了時点までの期間において切替後デバイスの操作を行うことができない。
【０００９】
同様に、表示用データに関する供給元デバイスがサーバデバイス２０から画像形成デバイス３０へと切り替えられる際に画像形成デバイス３０（切替後デバイス）が比較的浅いスリープ状態（ライトスリープ状態）を有している場合には、程度の差こそあるものの、同様の問題が生じ得る。たとえば、ライトスリープ状態で表示データ転送用のバス（詳細には、バスコントローラ等）が停止している場合には、切替後デバイス用の表示画面は直ちには表示されず、当該バスが通常状態に復帰するまでの期間（たとえば、数百ミリ秒程度）に亘って、真っ黒な画面（ブラックアウト画面）が（一瞬）表示される。また、仮に、画像形成デバイス３０の通常状態復帰完了時点まで待った後に、表示用データの送出元デバイスが画像形成デバイス（切替後デバイス）に切り替えられる場合には、ユーザは、通常状態復帰完了時点までの期間において切替後デバイスの操作を行うことができない。
【００１０】
このように、表示元デバイスに関する切替操作受付時に応答して、切替操作受付時にてスリープ状態を有していたデバイスへと直ちに表示元デバイスを切り替えると、ブラックアウト（スリープ状態からの復帰に起因するブラックアウト）が発生してしまう。
【００１１】
なお、デバイスの切替は、スリープ復帰を伴わない場合にも生じ得る。具体的には、単にデバイスを切り替える（入出力信号の有効化処理および無効化処理を行う）だけでも若干のタイムラグが存在する。そして、そのような場合にも、同様の問題、具体的には表示元デバイスの切替に伴って画面が一瞬（たとえば、数十ミリ秒程度）ブラックアウトすること等が生じ得る。
【００１２】
このように、２つのデバイスで共用される操作表示部において画面の表示元デバイスが切り替えられる際には、ブラックアウト期間の長さに関する程度の差は存在するものの、当該表示元デバイスの切替に伴って常に画面がブラックアウトしてしまう。
【００１３】
そこで、この発明は、２つのデバイスで共用される操作表示部において、画面の表示元デバイスの切替操作に伴って画面がブラックアウトすることを抑制しつつ、切替後デバイスに関する操作を行うことが可能な技術を提供することを課題とする。
【課題を解決するための手段】
【００１４】
上記課題を解決すべく、請求項１の発明は、情報処理装置であって、第１のデバイスと、第２のデバイスと、前記第１のデバイスと前記第２のデバイスとで共用される操作表示部と、を備え、前記第１のデバイスおよび前記第２のデバイスは、それぞれ、自デバイス用の各画面を前記操作表示部で表示するための各画面データを有しており、前記第１のデバイスは、前記第２のデバイス用の複数の画面を前記操作表示部で表示するための複数の画面データのうちの一部の画面データをも有しており、前記第１のデバイスは、前記操作表示部の利用デバイスを前記第１のデバイスから前記第２のデバイスに切り替えるべき旨の第１の切替操作を受け付けた場合において、前記第１の切替操作に応じて前記第２のデバイスに関して表示すべき第１の画面の画面データである第１の画面データが前記第１のデバイス内に存在するときには、前記第１のデバイス内の前記一部の画面データのうちの前記第１の画面データを用いて、前記第１の画面を表示することを特徴とする。
【００１５】
請求項２の発明は、請求項１の発明に係る情報処理装置において、前記第１のデバイスは、前記第１の画面データを前記操作表示部に表示させた後において前記操作表示部の利用デバイスを前記第１のデバイスから前記第２のデバイスに切り替えるべき旨の第２の切替操作を受け付けた場合において、前記第２の切替操作に応じて前記第２のデバイスに関して表示すべき第２の画面の画面データである第２の画面データが前記第１のデバイス内に存在しないときには、前記操作表示部での表示権限を前記第２のデバイスに移管して前記第２のデバイスによって前記第２の画面を前記操作表示部に表示させることを特徴とする。
【００１６】
請求項３の発明は、請求項２の発明に係る情報処理装置において、前記第１のデバイスは、前記第２の切替操作を受け付けた場合において前記操作表示部での表示権限を前記第２のデバイスに移管する際に、前記第１の画面データを用いて前記第１のデバイスによって受け付けた設定変更情報を前記第２のデバイスに通知することを特徴とする。
【００１７】
請求項４の発明は、請求項３の発明に係る情報処理装置において、前記第１のデバイスは、前記第２の切替操作を受け付けた場合において前記操作表示部での表示権限を前記第２のデバイスに移管する際に、次に表示すべき画面の情報を前記第２のデバイスに通知することを特徴とする。
【００１８】
請求項５の発明は、請求項１から請求項４のいずれかの発明に係る情報処理装置において、前記第２のデバイスは、第１の電力モードと前記第１の電力モードにおける消費電力よりも小さい消費電力で動作する省電力モードとを含む複数の電力モードの間での遷移を実行する電力モード制御手段と、前記第１のデバイスは、前記第１の切替操作を受け付けたことに応答して、前記省電力モードから前記第１の電力モードへの復帰指令を前記第２のデバイスに送出することを特徴とする。
【００１９】
請求項６の発明は、請求項１から請求項４のいずれかの発明に係る情報処理装置において、前記第２のデバイスは、前記第２のデバイスにおける監視対象要素に関する情報を検出する検出手段と、前記第２のデバイスは、第１の電力モードと前記第１の電力モードにおける消費電力よりも小さい消費電力で動作する省電力モードとを含む複数の電力モードの間での遷移を実行する電力モード制御手段と、前記第１の電力モードから前記省電力モードへのモード遷移の直前において、前記第２のデバイスにおける監視対象要素に関する検出情報を前記第１のデバイスに通知する通知手段と、を有し、前記第１のデバイスは、前記検出情報を反映させた状態の画面を前記操作表示部に表示させることを特徴とする。
【００２０】
請求項７の発明は、請求項６の発明に係る情報処理装置において、前記省電力モードは、前記第１の電力モードにおける消費電力よりも小さな消費電力で動作する第２の電力モードと、前記第２の電力モードにおける消費電力よりも更に小さな消費電力で動作する第３の電力モードとを含み、前記検出手段は、前記第３の電力モードでは動作不可能であり且つ前記第２の電力モードでは動作可能であり、前記第２のデバイスは、前記第１の電力モードから前記省電力モードへの前記モード遷移の後において前記第２の電力モードでの動作中に前記検出手段によって検出された情報を、前記第１のデバイスに通知することを特徴とする。
【００２１】
請求項８の発明は、請求項７の発明に係る情報処理装置において、前記第２のデバイスは、前記第１の電力モードから前記省電力モードへの前記モード遷移の直前に検出された情報に対して変更された情報であって、前記モード遷移の後において前記第２の電力モードでの動作中に前記検出手段によって検出された情報である変更情報が発生する度に、前記変更情報を前記第１のデバイスに通知し、前記第１のデバイスは、前記変更情報を反映させた状態の画面を前記操作表示部に表示させることを特徴とする。
【００２２】
請求項９の発明は、請求項７の発明に係る情報処理装置において、前記第１のデバイスは、前記検出情報に関する最新情報を前記第１のデバイスに対して通知すべき旨の最新情報通知要求を前記第２のデバイスに対して通知し、前記第２のデバイスは、前記最新情報通知要求に応じて前記最新情報を前記第１のデバイスに通知し、前記第１のデバイスは、前記最新情報を反映させた状態の画面を前記操作表示部に表示させることを特徴とする。
【００２３】
請求項１０の発明は、請求項９の発明に係る情報処理装置において、前記最新情報通知要求は、複数の情報項目のうちの特定項目の検出情報に関する最新情報を前記第２のデバイスに対して通知すべき旨の通知要求であり、前記第２のデバイスは、前記最新情報通知要求に応じて、前記複数の情報項目のうちの前記特定項目の前記検出情報に関する前記最新情報を前記第１のデバイスに通知することを特徴とする。
【００２４】
請求項１１の発明は、請求項７から請求項１０のいずれかの発明に係る情報処理装置において、前記第１のデバイスは、前記第２のデバイスが前記第３の電力モードに遷移している場合には、特定のタイミングにおいて前記第３の電力モードから前記第２の電力モードへの移行指令を前記第２のデバイスに通知し、前記第２のデバイスの電力モードを前記第２の電力モードに遷移させることを特徴とする。
【００２５】
請求項１２の発明は、請求項１から請求項１１のいずれかの発明に係る情報処理装置において、前記第１の切替操作は、前記操作表示部の特定のハードウエアキーあるいは前記操作表示部の特定のソフトウエアキーを用いた画面呼出操作を含むことを特徴とする。
【００２６】
請求項１３の発明は、請求項２から請求項４のいずれかの発明に係る情報処理装置において、前記第２の切替操作は、特定のハードウエアキーあるいは特定のソフトウエアキーを用いた前記第２の画面の呼出操作を含むことを特徴とする。
【００２７】
請求項１４の発明は、請求項２から請求項４のいずれかの発明に係る情報処理装置において、前記第２の切替操作は、ＵＳＢメモリを前記第２のデバイスに装着する操作を含むことを特徴とする。
【００２８】
請求項１５の発明は、請求項１から請求項１４のいずれかの発明に係る情報処理装置において、前記第１のデバイスは、サーバデバイスであり、前記第２のデバイスは、画像形成デバイスであることを特徴とする。
【００２９】
請求項１６の発明は、情報処理装置に設けられた第１のデバイスに内蔵されるコンピュータに、ａ）情報処理装置に設けられた第２のデバイスと前記第１のデバイスとによって共用される操作表示部の利用デバイスを前記第１のデバイスから前記第２のデバイスに切り替えるべき旨の第１の切替操作を受け付けるステップと、ｂ）前記第１の切替操作を受け付けた場合において、前記操作表示部の表示権限を前記第２のデバイスに移管するか否かを判定するステップと、を実行させるためのプログラムであって、前記第１のデバイスおよび前記第２のデバイスは、それぞれ、自デバイス用の各画面を前記操作表示部で表示するための各画面データを有しており、前記第１のデバイスは、前記第２のデバイス用の複数の画面を前記操作表示部で表示するための複数の画面データのうちの一部の画面データをも有しており、前記ステップｂ）においては、前記第１の切替操作に応じて前記第２のデバイスに関して表示すべき第１の画面の画面データである第１の画面データが前記第１のデバイス内に存在するときには、前記操作表示部の表示権限を前記第２のデバイスに移管せず、前記第１のデバイス内の前記一部の画面データのうちの前記第１の画面データを用いて、前記第１の画面を表示することを特徴とする。
【発明の効果】
【００３０】
請求項１から請求項１６に記載の発明によれば、第１の切替操作を受け付けた場合において、第１の画面データが第１のデバイス内に存在するときには、第１のデバイス内の当該第１の画面データを用いて第１の画面が操作表示部に表示される。したがって、２つのデバイスで共用される操作表示部において、画面の表示元デバイスの切替操作に伴って画面がブラックアウトすること、を抑制することが可能であるとともに、第１のデバイスによって第２のデバイスに関する操作を行うことが可能である。
【００３１】
特に、請求項６に記載の発明によれば、予め通知された検出情報を用いて、当該検出情報を反映させた状態の画面を操作表示部に表示させることが可能である。
【００３２】
また特に、請求項７に記載の発明によれば、第１のデバイスは、第２のデバイスが省電力モードに遷移した後に当該第２のデバイスから取得された検出情報を用いて、当該検出情報を反映させた状態の画面を操作表示部に表示させることが可能である。
【００３３】
また特に、請求項８に記載の発明によれば、第１のデバイスは、第２のデバイスが省電力モードに遷移した後において、当該第２のデバイスから随時取得された変更情報を用いて、当該変更情報を反映させた状態の画面を操作表示部に表示させることが可能である。
【００３４】
また特に、請求項１０に記載の発明によれば、第１のデバイスは、第２のデバイスが省電力モードに遷移した後において、当該第２のデバイスから必要に応じて取得された特定項目の検出情報に関する最新情報を用いて、当該最新情報を反映させた状態の画面を操作表示部に表示させることが可能である。
【図面の簡単な説明】
【００３５】
【図１】ＭＦＰの外観を示す図である。
【図２】ＭＦＰの概略構成を示すブロック図である。
【図３】画像形成デバイスの機能ブロックを示す図である。
【図４】サーバデバイスの機能ブロックを示す図である。
【図５】トップメニュー画面を示す図である。
【図６】サーバデバイスに関するメインメニュー画面を示す図である。
【図７】画像形成デバイスに関するメインメニュー画面を示す図である。
【図８】画像形成デバイスのコピー機能に関する設定画面を示す図である。
【図９】画像形成デバイスのコピー機能に関する設定画面を示す図である。
【図１０】コピー機能における用紙設定に関する詳細設定画面を示す図である。
【図１１】コピー機能における応用設定に関する設定画面を示す図である。
【図１２】画面遷移を示す一覧図である。
【図１３】ＭＦＰの概略動作を示す概念図である。
【図１４】サーバデバイスの動作を示すフローチャートである。
【図１５】ＭＦＰ内の各デバイスの動作を示すタイミングチャートである。
【図１６】ＭＦＰ内の各デバイスの動作を示すタイミングチャートである。
【図１７】ＭＦＰ内の各デバイスの動作を示すタイミングチャートである。
【図１８】ＭＦＰ内の各デバイスの動作を示すタイミングチャートである。
【図１９】用紙切れ発生に関する情報が反映された画面を示す図である。
【図２０】トナー切れ発生に関する情報が反映された画面を示す図である。
【図２１】第２実施形態に係る動作の一部を示すタイミングチャートである。
【図２２】第３実施形態に係る動作の一部を示すタイミングチャートである。
【図２３】変形例に係る画面を示す図である。
【図２４】比較例に係る技術を示す概念図である。
【発明を実施するための形態】
【００３６】
以下、本発明の実施形態を図面に基づいて説明する。
【００３７】
＜１．第１実施形態＞
＜１−１．構成概要＞
図１は、ＭＦＰ（マルチ・ファンクション・ペリフェラル（Multi-Functional Peripheral））１０の外観を示す図である。ここでは、情報処理装置として、ＭＦＰ１０を例示する。なお、ＭＦＰ１０は、画像形成装置あるいは画像処理装置などとも称される。
【００３８】
図２は、ＭＦＰ１０の概略構成を示すブロック図である。
【００３９】
このＭＦＰ１０は、互いに独立して動作する複数のデバイス（ここではサーバデバイス２０と画像形成デバイス３０との２つのデバイス）を備える。ここでは、サーバデバイス２０と画像形成デバイス３０とは、一の筐体に収容され、一体的に構成されている。なお、当該一の筐体には、所定の部材と当該所定の部材に対して開閉自在に設けられた部材（たとえば、ＭＦＰ１０の原稿台に設けられた回転軸に対して回動自在に設けられた原稿カバー等）とが含まれるものとする。
【００４０】
また、このＭＦＰ１０は、操作表示部４０（後述）をも備える。当該操作表示部４０は、後述するように、当該複数のデバイス２０，３０によって共用される。
【００４１】
＜１−２．画像形成デバイス３０の構成＞
画像形成デバイス３０（図１も参照）は、各種のジョブ（コピージョブ、スキャンジョブ等）を実行することが可能なデバイスである。なお、画像形成デバイス３０は、ＭＦＰデバイスとも称される。
【００４２】
図３は、画像形成デバイス３０の機能ブロックを示す図である。画像形成デバイス３０は、管理対象機能（コピー機能、スキャン機能、ファクシミリ機能およびボックス機能等）を管理している。具体的には、画像形成デバイス３０は、図３に示すように、画像読取部３２、印刷出力部３３、通信部３４、格納部３５およびコントローラ（制御部）３９等を備えており、これらの各部を複合的に動作させることによって、各種の機能（管理対象機能）を実現する。
【００４３】
画像読取部３２は、画像形成デバイス３０の所定の位置（自動原稿供給部（ＡＤＦ：Auto Document Feeder）あるいはガラス面等）に載置された原稿を光学的に読み取って（すなわちスキャンして）、当該原稿の画像データ（原稿画像あるいはスキャン画像とも称する）を生成する処理部である。この画像読取部３２は、スキャン部などとも称される。画像形成デバイス３０は、所定の位置に載置された原稿を読み取ることが可能なデバイスであり、画像読取デバイスとも称される。
【００４４】
印刷出力部３３は、印刷対象に関するデータに基づいて紙などの各種の媒体に画像を印刷出力する出力部である。画像形成デバイス３０は、各種の媒体に画像を印刷出力することが可能なデバイスであり、印刷出力デバイスとも称される。
【００４５】
通信部３４は、公衆回線等を介したファクシミリ通信を行うことが可能な処理部である。さらに、通信部３４は、ネットワークを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、画像形成デバイス３０は、所望の相手先との間で各種のデータを授受することが可能である。
【００４６】
格納部３５は、各種の記憶装置（（揮発性および／または不揮発性の）半導体メモリおよび／またはハードディスクドライブ（ＨＤＤ）等）で構成される。
【００４７】
コントローラ３９は、画像形成デバイス３０に内蔵され、画像形成デバイス３０を統括的に制御する制御装置である。コントローラ３９は、ＣＰＵ（Central Processing Unit）（マイクロプロセッサあるいはコンピュータプロセッサなどとも称される）および各種の半導体メモリ（ＲＡＭおよびＲＯＭ）等を備えるコンピュータシステムとして構成される。コントローラ３９は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体から読み出されて画像形成デバイス３０にインストールされるようにしてもよい。あるいは、当該プログラムは、ネットワークを経由してダウンロードされて画像形成デバイス３０にインストールされるようにしてもよい。
【００４８】
具体的には、図３に示されるように、コントローラ３９は、上記のプログラムの実行により、通信制御部３９ａと操作制御部３９ｂと動作制御部３９ｃと電力モード制御部３９ｄとを含む各種の処理部を実現する。
【００４９】
通信制御部３９ａは、通信部３４等と協働して他のデバイス（同一筐体（同一装置）内の他のデバイス（サーバデバイス２０等）、および別の筐体内にて構成される他の装置内のデバイスを含む）との間の通信動作を制御する処理部である。
【００５０】
操作制御部３９ｂは、操作表示部４０（図１）と協働して、操作表示部４０（特にタッチパネル４５）に対する入力動作（操作入力を受け付ける動作）を制御するとともに、操作表示部４０（特にタッチパネル４５）における表示動作（表示出力動作）を制御する処理部である。たとえば、操作制御部３９ｂは、画像形成デバイス３０の管理対象機能に関する情報等を操作表示部４０（タッチパネル４５）に表示させるとともに、操作表示部４０に対するユーザ操作に関する操作入力情報（タッチ情報等）を当該操作表示部４０から取得する。
【００５１】
動作制御部３９ｃは、画像形成デバイス３０における各種の動作（ジョブ動作等）を制御する処理部である。
【００５２】
電力モード制御部３９ｄは、通常モード（通常の電力モード）とスリープモード（通常モードにおける消費電力よりも小さい消費電力で動作する省電力モード）とを含む複数の電力モードの間での遷移を実行する処理部である。
【００５３】
＜１−３．サーバデバイス２０の構成＞
サーバデバイス２０（図１も参照）は、サーバ機能を実現することが可能なデバイスである。サーバデバイス２０は、たとえば汎用的なコンピュータ装置として構成される。
【００５４】
図４は、サーバデバイス２０の機能ブロックを示す図である。
【００５５】
サーバデバイス２０は、図４の機能ブロック図に示すように、通信部２４、格納部２５、コントローラ（制御部）２９等を備えており、これらの各部を複合的に動作させることによって、各種の機能を実現する。
【００５６】
通信部２４は、ネットワーク通信を行うことが可能である。このネットワーク通信では、たとえば、ＴＣＰ／ＩＰ（Transmission Control Protocol / Internet Protocol）等の各種のプロトコルが利用される。当該ネットワーク通信を利用することによって、サーバデバイス２０は、所望の相手先と連携して各種のデータを授受することが可能である。
【００５７】
格納部２５は、各種の記憶装置（（揮発性および／または不揮発性の）半導体メモリおよび／またはハードディスクドライブ（ＨＤＤ）等）で構成される。
【００５８】
コントローラ（制御部）２９は、サーバデバイス２０に内蔵され、サーバデバイス２０を統括的に制御する制御装置である。コントローラ２９は、ＣＰＵおよび各種の半導体メモリ（ＲＡＭおよびＲＯＭ）等を備えるコンピュータシステムとして構成される。コントローラ２９は、ＣＰＵにおいて、記憶部（半導体メモリ等）内に格納されている所定のプログラムを実行することによって、各種の処理部を実現する。なお、当該プログラム（詳細にはプログラムモジュール群）は、ＵＳＢメモリなどの可搬性の記録媒体に記録され、当該記録媒体から読み出されてサーバデバイス２０にインストールされるようにしてもよい。あるいは、当該プログラムは、ネットワークを経由してダウンロードされてサーバデバイス２０にインストールされるようにしてもよい。
【００５９】
具体的には、コントローラ２９は、当該プログラム等の実行により、通信制御部２９ａと操作制御部２９ｂと動作制御部２９ｃとを含む各種の処理部を実現する。
【００６０】
通信制御部２９ａは、通信部２４等と協働して他のデバイス（同一筐体（同一装置）内の他のデバイス（画像形成デバイス３０等）、および別の筐体内にて構成される他の装置内のデバイスを含む）との間の通信動作を制御する処理部である。
【００６１】
操作制御部２９ｂは、操作表示部４０と協働して、操作表示部４０（特にタッチパネル４５）に対する入力動作を制御するとともに、操作表示部４０（特にタッチパネル４５）における表示動作を制御する処理部である。たとえば、操作制御部２９ｂは、サーバデバイス２０の管理対象機能に関する情報等を操作表示部４０（タッチパネル４５）に表示させるとともに、操作表示部４０（タッチパネル４５）に対するユーザ操作に関する操作入力情報を当該操作表示部４０から取得する。
【００６２】
動作制御部２９ｃは、サーバデバイス２０における各種の動作を制御する処理部である。
【００６３】
また、サーバデバイス２０は、管理対象機能（電子メール機能、データ保存機能、形式変換機能（ファイル形式変換機能）および画像編集機能等）を管理している。具体的には、サーバデバイス２０には、各種の機能（管理対象機能）を実現するためのアプリケーション（アプリケーションソフトウエアプログラム）が予めインストールされており、サーバデバイス２０は、各アプリケーションを用いて各種の機能（管理対象機能）を実現する。
【００６４】
ここでは、サーバデバイス２０には、電子メールアプリケーション、データ保存アプリケーション、形式変換アプリケーションおよび画像編集アプリケーション等が予めインストールされている。
【００６５】
電子メールアプリケーションは、他の装置との間で電子メールの送受信を実行することが可能なアプリケーションであり、サーバデバイス２０は、当該電子メールアプリケーションを実行することによって電子メール機能を実現する。
【００６６】
データ保存アプリケーションは、サーバデバイス２０内に各種データを保存することが可能なアプリケーションであり、サーバデバイス２０は、当該データ保存アプリケーションを実行することによってデータ保存機能を実現する。
【００６７】
形式変換アプリケーションは、指定されたファイルのファイル形式を他のファイル形式に変換することが可能なアプリケーションであり、サーバデバイス２０は、当該形式変換アプリケーションを実行することによって形式変換機能を実現する。
【００６８】
画像編集アプリケーションは、指定された画像データの編集処理を実行することが可能なアプリケーションであり、サーバデバイス２０は、当該画像編集アプリケーションを実行することによって画像編集機能を実現する。
【００６９】
＜１−４．操作表示部４０の構成＞
このＭＦＰ１０においては、略板状の操作表示部４０（図１参照）が設けられている。操作表示部４０は、その正面側にタッチパネル４５（図１参照）を有している。タッチパネル（操作パネルとも称する）４５は、液晶表示パネルに各種センサ等が埋め込まれて構成され、各種情報を表示するとともに操作者からの各種の操作入力を受け付けることが可能である。タッチパネル４５は、タッチパネル４５に対するユーザの操作入力を受け付ける操作入力部としても機能するとともに、各種情報を表示する表示部としても機能する。
【００７０】
たとえば、タッチパネル４５には、或る時点において複数の画面の中から選択された画面（設定画面等）（図５〜図１１等参照）が表示され、当該画面には、１又は複数のソフトウエアキー（ソフトウエアによって実現されるキー（ボタン）等）が表示される。そして、当該ソフトウエアキーに対するタッチ操作（キーの押下操作等）を検出することによって、ユーザの操作入力が受け付けられる。なお、操作表示部４０は、ハードウエアキーをも備えており、当該ハードウエアキーを用いたユーザ操作入力をも受け付けることが可能である。
【００７１】
操作表示部４０（特にタッチパネル４５）は、複数のデバイス（ここではサーバデバイス２０と画像形成デバイス３０との２つのデバイス）によって共用される。
【００７２】
また、操作表示部４０は、図２に示すように、タッチパネル４５に加えてパネル制御部４１をも備えている。パネル制御部４１は、タッチパネル４５に関する動作を制御する処理部である。また、パネル制御部４１は、複数のデバイス（ここではサーバデバイス２０および画像形成デバイス３０）のうちの一のデバイスから送信されてくる表示用データに基づく画像を、タッチパネル４５に表示する。また、パネル制御部４１は、タッチパネル４５に対するユーザの操作入力に基づく情報（操作入力情報）（タッチ情報等）を当該一のデバイスに向けて送信する。
【００７３】
パネル制御部４１は、ＣＰＵおよび各種の半導体メモリ（ＲＡＭおよびＲＯＭ）等を備えるコンピュータシステムとして構成される。パネル制御部４１は、ＣＰＵにおいて、記憶部（半導体メモリ等）内に格納されている所定のプログラムを実行することによって、操作表示部４０（タッチパネル４５等）に関する各種の動作を制御するコントローラである。なお、当該プログラム（詳細にはプログラムモジュール群）は、ＵＳＢメモリなどの可搬性の記録媒体に記録され、当該記録媒体から読み出されて操作表示部４０にインストールされるようにしてもよい。あるいは、当該プログラムは、ネットワークを経由してダウンロードされて操作表示部４０にインストールされるようにしてもよい。
【００７４】
＜１−５．画面遷移＞
このＭＦＰ１０（詳細には、操作表示部４０）においては、たとえば図５〜図１１のような画面が表示される。
【００７５】
図５は、トップメニュー画面２１０を示す図である。この実施形態では、ＭＦＰ１０の初期状態において、２つのデバイスのうち（画像形成デバイス３０ではなく）サーバデバイス２０が主デバイスとして機能し、サーバデバイス２０の管理下において操作表示部４０のタッチパネル４５にてトップメニュー画面２１０（図５参照）が表示される。
【００７６】
トップメニュー画面２１０においては、図５に示されるように、サーバデバイス２０の管理対象機能の設定画面に遷移するためのボタン２１１と画像形成デバイス３０の管理対象機能の設定画面に遷移するためのボタン２１２とが表示される。
【００７７】
ユーザが、これらの２つのボタン２１１，２１２のうちの所望のボタンを押下（選択）すると、画面遷移が発生する。
【００７８】
トップメニュー画面２１０にてボタン２１１（図５）が押下されると、サーバデバイス２０の管理対象機能の設定画面２２０（図６）が表示される。設定画面２２０は、サーバデバイス２０の管理対象機能に関する設定画面（トップメニュー画面）である。設定画面２２０には、図６に示されるように、４つのボタン２２１〜２２４等が表示される。ボタン２２１は、電子メール機能に関する詳細設定画面に遷移するためのボタンであり、ボタン２２２は、データ保存機能に関する詳細設定画面に遷移するためのボタンである。また、ボタン２２３は、ファイル形式変換機能に関する詳細設定画面に遷移するためのボタンであり、ボタン２２４は、画像編集機能に関する詳細設定画面に遷移するためのボタンである。設定画面２２０は、さらに下位階層のサブメニュー画面（詳細設定画面）を有しており、設定画面２２０内のボタン２２１〜２２４のいずれかが押下されると、押下されたボタンに対応する詳細設定画面に遷移する。
【００７９】
一方、トップメニュー画面２１０にてボタン２１２（図５）が押下されると、画像形成デバイス３０の管理対象機能の設定画面２３０（図７）が表示される。このように、ボタン２１２の押下操作に応じて、設定画面２３０への画面遷移が発生する。
【００８０】
設定画面２３０は、画像形成デバイス３０の管理対象機能に関する設定画面（トップメニュー画面）である。設定画面２３０には、図７に示されるように、４つのボタン２３１〜２３４等が表示される。ボタン２３１は、コピー機能に関する詳細設定画面に遷移するためのボタンであり、ボタン２３２は、スキャン機能に関する詳細設定画面に遷移するためのボタンである。また、ボタン２３３は、ファクシミリ機能に関する詳細設定画面に遷移するためのボタンであり、ボタン２３４は、ボックス機能に関する詳細設定画面に遷移するためのボタンである。
【００８１】
なお、画面２２０内のボタン２２９（図６）が押下された場合にも、設定画面２３０への画面遷移が発生する。このように、画面２１０内のボタン２１２（図５）、あるいは画面２２０内のボタン２２９（図６）の押下等が、利用デバイスの切替操作（サーバデバイス２０から画像形成デバイス３０へと切り替えるべき旨を示す切替操作）として行われる。
【００８２】
また、設定画面２３０は、さらに下位階層のサブメニュー画面（詳細設定画面）を有しており、設定画面２３０内のボタン２３１〜２３４のいずれかが押下されると、押下されたボタンに対応する詳細設定画面に遷移する。
【００８３】
たとえば、コピーボタン２３１が押下されると、コピー機能に関する詳細設定画面２５０（図８参照）に遷移する。
【００８４】
設定画面２５０は、画像形成デバイス３０のコピー機能に関する設定画面である。設定画面２５０には、図８に示されるように、６つのボタン２５１〜２３６等が表示される。ボタン２５１は、「用紙設定」に関する詳細設定画面に遷移するためのボタンであり、ボタン２５２は、「拡大／縮小」に関する詳細設定画面に遷移するためのボタンである。また、ボタン２５３は、「枚数（部数）設定」に関する詳細設定画面に遷移するためのボタンであり、ボタン２５４は、「濃度」に関する詳細設定画面に遷移するためのボタンである。さらに、ボタン２５５は、「カラー／モノクロ」に関する詳細設定画面に遷移するためのボタンであり、ボタン２５６は、「応用設定」に関する詳細設定画面に遷移するためのボタンである。
【００８５】
また、設定画面２５０は、さらに下位階層のサブメニュー画面（詳細設定画面）を有しており、設定画面２５０内のボタン２５１〜２５６のいずれかが押下されると、押下されたボタンに対応する詳細設定画面に遷移する。
【００８６】
たとえば、画面２５０内のコピーボタン２５１が押下されると、用紙設定（トレイ設定）に関する詳細設定画面２６０（図１０参照）に遷移する。
【００８７】
設定画面２６０は、画像形成デバイス３０のコピー機能の用紙設定に関する設定画面である。設定画面２６０には、図１０に示されるように、４つのボタン２６１〜２６４等が表示される。ボタン２６１は、「Ａ３サイズ（トレイ１）」を設定するためのボタンであり、ボタン２６２は、「Ａ４サイズ（トレイ２）」を設定するためのボタンである。また、ボタン２６３は、「Ａ５サイズ（トレイ３）」を設定するためのボタンであり、、ボタン２６４は、「Ｂ４サイズ（トレイ４）」を設定するためのボタンである。
【００８８】
画面２５０内の他のボタン２５２〜２５５が押下される場合にも、同様にして、それぞれの詳細設定画面に遷移して、詳細設定処理が行われる。なお、図９においては、図８のボタン２５１〜２５５に応じた各詳細設定画面を用いた各設定処理においてデフォルト値とは異なる値が設定された場合に、画面２５０の各対応ボタン２５１〜２５５上に新たな値（新たな設定内容）が表示されている様子が示されている。
【００８９】
また、画面２５０内の応用設定ボタン２５６が押下されると、応用設定に関する詳細設定画面３１０（図１１参照）に遷移する。
【００９０】
設定画面３１０は、画像形成デバイス３０のコピー機能の応用設定に関する設定画面である。設定画面３１０には、図１１に示されるように、６つのボタン３１１〜３１６等が表示される。ボタン３１１は、「カバーシート追加」に関する詳細設定画面に遷移するためのボタンであり、ボタン３１２は、「ページ間挿入／差込」に関する詳細設定画面に遷移するためのボタンである。また、ボタン３１３は、「スタンプ・日時・ページ印字」に関する詳細設定画面に遷移するためのボタンであり、ボタン３１４は、「枠消し」に関する詳細設定画面に遷移するためのボタンである。さらに、ボタン３１５は、「サムネイル」に関する詳細設定画面に遷移するためのボタンであり、ボタン３１６は、「プレビュー」に関する詳細設定画面に遷移するためのボタンである。
【００９１】
このように、画面２３０内のボタン２３１〜２３４（図７）、および画面２５０内のボタン２５１〜２５６（図８）の押下等も、利用デバイスの切替操作（サーバデバイス２０から画像形成デバイス３０へと切り替えるべき旨を示す切替操作）として行われ得る。
【００９２】
図１２は、このような画面遷移を示す一覧図である。図１２については後に詳述する。
【００９３】
＜１−６．動作概要＞
次に、本実施形態に係るＭＦＰ１０の動作の概要について説明する。
【００９４】
ただし、ここでは、その前に先ず比較例に係る技術について説明する。図２４は、当該比較例に係る技術を示す概念図である。
【００９５】
図２４の上段においては、サーバデバイス２０用の画面（具体的には、トップメニュー画面２１０（あるいは画面２２０）等）が操作表示部４０に表示されている状態が概念的に示されている。
【００９６】
比較例に係る技術においては、図２４の上段に示すような状態において画面２１０内のボタン２１２（図５）が押下されると、サーバデバイス２０は、操作表示部４０の利用デバイスをサーバデバイス２０から画像形成デバイス３０に切り替えるべき旨の操作（切替操作）Ｍ１が行われた旨を判定する。そして、当該ボタン２１２の押下に応答して、サーバデバイス２０は、操作表示部４０の利用デバイスをサーバデバイス２０から画像形成デバイス３０へと切り替えるべき（変更すべき）旨を示す指令（切替指令）を、画像形成デバイス３０に対して送信する。換言すれば、操作表示部４０の表示権限をサーバデバイス２０から画像形成デバイス３０へと移管する移管指令を、画像形成デバイス３０に対し送信する。
【００９７】
そして、画像形成デバイス３０は、当該移管指令を受信すると、デバイス切替後に操作表示部４０にて表示すべき画面（たとえば画面２３０（図７））の表示用データ（画面データ）を、操作表示部４０に送信する。操作表示部４０は、画像形成デバイス３０から受信した当該表示用データに基づいて表示画面（設定画面２３０等）を表示する。図２４の下段においては、デバイス切替後の状態、具体的には、画像形成デバイス３０用の画面（設定画面２３０等）が画像形成デバイス３０によって操作表示部４０に表示されている状態、が概念的に示されている。
【００９８】
しかしながら、このような操作表示部４０における利用デバイスの切替（表示用データの供給元デバイスの切替）が行われる場合には、上述のように、画面がブラックアウトされる期間（あるいは操作が正常に受け付けられない期間）が発生し得る。
【００９９】
これに対して、この実施形態では、図１３に示すような動作が行われる。
【０１００】
図１３の上段には、図２４の上段と同じような状態が示されている。この状態において、上述の切替操作Ｍ１がサーバデバイス２０にて受け付けられると、この実施形態では、図１３の下段に示されるような動作が行われる。図１３の下段には、図２４の下段とは異なる動作が示されている。
【０１０１】
この実施形態に係る各デバイス２０，３０は、それぞれ、（比較例と同様に、）自デバイス用の複数の画面を操作表示部４０で表示するための複数の画面データ（複数の表示用データ）を有している。たとえば、画像形成デバイス３０は、非常に多数の画面データ（たとえば数千枚の画面の画像データ）をその内部に格納している。
【０１０２】
さらに、この実施形態に係るサーバデバイス２０は、（比較例とは異なり、）画像形成デバイス３０用の複数の画面データのうちの一部の画面データをも有している。詳細には、サーバデバイス２０は、画像形成デバイス３０用の複数の画面（２３０，２５０，２６０，３１０等）を表示するための複数の画面データ（たとえば、数千枚の画面の画面データ）のうち、一部の画面（２３０（図７），２５０（図８），２６０（図１０）等）を表示するための画面データ（たとえば、数枚〜数百枚程度の画面データ）をも有している。
【０１０３】
また、サーバデバイス２０には、画面遷移に関する情報も予め格納されているものとする。換言すれば、サーバデバイス２０には、画像形成デバイス３０の操作画面（メニュー画面等）に関する階層構造の情報も予め格納されている。画面遷移に関する当該情報としては、たとえば、画面２１０（図５）内のボタン２１２が押下される場合には（原則として）画面２３０（図７）に遷移すべき旨の情報、および画面２３０（図７）内のボタン２３１が押下される場合には（原則として）画面２５０（図８）に遷移すべき旨の情報等が例示される。
【０１０４】
そして、サーバデバイス２０は、上述の切替操作Ｍ１を受け付けた場合において、当該切替操作Ｍ１に応じて画像形成デバイス３０に関して表示すべき画面（２３０等）の画面データＤ１がサーバデバイス２０内に存在するときには、当該サーバデバイス２０内に設けられた一部の画面データ（詳細には、当該一部の画面データのうち当該画面データＤ１）を用いて、当該画面（２３０等）を表示する。すなわち、当該画面（２３０等）は、画像形成デバイス３０内の画面データを用いて表示されるのではなく、サーバデバイス２０内の画面データを用いて表示される。換言すれば、サーバデバイス２０は、操作表示部４０による表示権限を画像形成デバイス３０に移管せずに、当該表示権限を引き続き保持（維持）する。なお、操作表示部４０における操作入力情報の管理権限（受信権限）も、引き続きサーバデバイス２０によって保持される。詳細には、操作表示部４０で受け付けられた操作入力情報は、引き続きサーバデバイス２０に対して出力される。このように当該管理権限（受信権限）は、表示権限に連動して移管される。
【０１０５】
その後、更なる画面遷移が発生する際にも、同様の動作が行われる。具体的には、後述するように、画面２３０（図７）から画面２５０（図８）への画面遷移が発生する際、および画面２５０から画面２６０（図１０）への画面遷移が発生する際にも同様の動作が行われる。詳細には、各画面２５０，２６０は、画像形成デバイス３０内の画面データを用いて画像形成デバイス３０によって表示されるのではなく、サーバデバイス２０内の画面データを用いてサーバデバイス２０によって表示される。
【０１０６】
これらの動作においては、表示用データの供給元デバイスの切替操作Ｍ１が受け付けられた場合であっても、操作表示部４０の利用デバイスをサーバデバイス２０から画像形成デバイス３０へと切り替える動作は行われず、画像形成デバイス３０用の画面２３０は、サーバデバイス２０内の画面データＤ１等を用いて、サーバデバイス２０によって表示される。これによれば、利用デバイスの切替（表示用データの供給元デバイスの切替）が行われないので、画面がブラックアウトされる期間（あるいは操作が正常に受け付けられない期間）が発生しない。
【０１０７】
なお、サーバデバイス２０は、画面データＤ１に基づく画面等を操作表示部４０に表示させた後において切替操作（操作表示部４０の利用デバイスをサーバデバイス２０から画像形成デバイス３０へと切り替えるべき旨を示す切替操作）（切替操作Ｍ２とも表記する）を受け付けた場合において、或る時点（たとえば、画面３１０への遷移が発生する時点）以降においては、比較例に係る動作と同様の動作を実行することがある。具体的には、切替操作Ｍ２に応じて画像形成デバイス３０に関して表示すべき画面３１０の画面データＤ２がサーバデバイス２０内に存在しないときには、操作表示部４０での表示権限を画像形成デバイス３０に移管する。そして、当該画面３１０は画像形成デバイス３０によって操作表示部４０に表示される。より詳細には、画像形成デバイス３０は、当該画像形成デバイス３０内に格納された画面データＤ２に基づき、画面３１０を表示する。
【０１０８】
図１２は、上述のような画面遷移を説明する概念図である。
【０１０９】
図１２の最も左側の列においては、両デバイス２０，３０用の共通の画面２１０およびサーバデバイス２０用の画面２２０等がサーバデバイス２０によって表示される様子が示されている。これらの画面２１０，２２０等は、サーバデバイス２０内に格納されている。サーバデバイス２０は、これらの画面２１０，２２０等を用いた画面表示動作等を実行される。
【０１１０】
図１２の最も右側の列においては、画像形成デバイス３０用の画面（３１０等）が画像形成デバイス３０によって表示される様子が示されている。これらの画面３１０等は、画像形成デバイス３０内に格納されている。画像形成デバイス３０は、これらの画面３１０等を用いた画面表示動作等を実行する。
【０１１１】
図１２の中央の列においては、画像形成デバイス３０用の画面（２３０，２５０，２６０等）が（画像形成デバイス３０ではなく）サーバデバイス２０によって表示される様子を示している。これらの画面２３０，２５０，２６０等は、サーバデバイス２０内に格納されている。切替操作Ｍ１が行われた場合であっても、暫くはこれらの画面２３０，２５０，２６０等を用いた画面表示動作等がサーバデバイス２０によって実行される。
【０１１２】
具体的には、サーバデバイス２０が操作表示部４０の利用デバイス（換言すれば、表示用データの供給元デバイス）の切替操作Ｍ１を操作表示部４０を介して受け付けた場合であっても、当該利用デバイスをサーバデバイス２０から画像形成デバイス３０へと切り替える動作は直ちには行われない。図１２の中央列に示されるように、画像形成デバイス３０用の画面２３０，２５０，２６０等は、サーバデバイス２０内の画面データＤ１等を用いて、サーバデバイス２０によって表示される。
【０１１３】
その後、その使用頻度が比較的低いことを考慮してサーバデバイス２０内にその画面データが予め格納されていない画面への遷移が行われるべき場合にのみ、操作表示部４０での表示権限がサーバデバイス２０から画像形成デバイス３０へと移管される（図１２の最右列参照）。
【０１１４】
なお、一旦、操作表示部４０での表示権限がサーバデバイス２０から画像形成デバイス３０へと移管された後においては、画像形成デバイス３０用の画面は、画像形成デバイス３０によって表示される。換言すれば、画像形成デバイス３０は、表示権限を引き続き保持（維持）する（サーバデバイス２０に渡さない）。たとえば、画面３１０が画像形成デバイス３０によって表示された後においては、当該画面３１０から画面２５０に戻る際には、当該画面２５０は、（画像形成デバイス３０内の画面データを用いて）画像形成デバイス３０によって表示される。これによれば、操作表示部４０の利用デバイスに関する再切替発生を回避ないし抑制することが可能である。
【０１１５】
＜１−７．動作詳細＞
図１４は、サーバデバイス２０の動作を示すフローチャートである。また、図１５〜図１８は、ＭＦＰ１０内の各デバイスの動作を示すタイミングチャートである。以下では、これらの図等を参照しながら、第１実施形態の動作について更に詳細に説明する。
【０１１６】
図１５に示すように、画像形成デバイス３０はスリープ条件が成立すると、スリープ状態に遷移する。具体的には、画像形成デバイス３０は、ステップＳ１１にてスリープ条件（たとえば、所定期間に亘って無操作期間が継続すること等）が成立した旨を判定すると、サーバデバイス２０に対してスリープ遷移通知を送信する（ステップＳ１２）。スリープ遷移通知は、画像形成デバイス３０がスリープ状態に遷移する旨をサーバデバイス２０に知らせるための通知である。そして、画像形成デバイス３０は、ステップＳ１４において、通常状態（通常の電力モード）からスリープ状態（スリープモード（省電力モード））に遷移（移行）する。
【０１１７】
ただし、画像形成デバイス３０は、スリープモードへの遷移直前において、画像形成デバイス３０に関する監視対象要素に関する検出情報をもサーバデバイス２０に通知する（ステップＳ１３）。監視対象要素としては、画像形成デバイス３０の給紙トレイ内の用紙のサイズ（Ａ３／Ａ４等）、当該給紙トレイ内の用紙切れの有無、画像形成デバイス３０内の用紙搬送経路における用紙詰まりの発生の有無、原稿カバーの開閉状態、ＡＤＦ（あるいは原稿台）に載置された原稿のサイズ情報、および画像形成デバイス３０のトナー切れの有無等が例示される。これらの監視対象要素に関する情報の検出には、画像形成デバイス３０に設けられた各種のセンサ（用紙サイズ検出センサ、用紙切れ検出センサ、用紙詰まり検出センサ、原稿カバー状態検出センサ、原稿サイズ検出センサ、トナー切れ検出センサ等）が用いられればよい。なお、後述するようにサーバデバイス２０が画像形成デバイス３０用の各画面を表示する際には、画像形成デバイス３０から受信した当該検出情報が反映されることが好ましい。
【０１１８】
このＭＦＰ１０においては、サーバデバイス２０と画像形成デバイス３０とは独立して動作可能である。画像形成デバイス３０がスリープ状態を有している状況においても、サーバデバイス２０が動作していること（各種のジョブを実行していること）もある。
【０１１９】
ここでは、図１５に示すように画像形成デバイス３０がスリープ状態に移行した後において、サーバデバイス２０が動作継続中である（詳細には図５のトップメニュー画面２１０がサーバデバイス２０によって操作表示部４０に表示されている（図１６のステップＳ２１も参照））状況を想定する。図１４においては、このような状況以後のサーバデバイス２０の動作が示されている。
【０１２０】
上述したように、トップメニュー画面２１０にてボタン２１１（図５）が押下されると、サーバデバイス２０は、ステップＳ３１において、画像形成デバイス３０への切替操作は未だ行われていない旨を判定する。そして、処理はステップＳ２５，Ｓ２６に進む。具体的には、サーバデバイス２０は、サーバデバイス２０用の画面（２２０等）を表示する（ステップＳ２５）とともに、当該画面を用いたユーザ操作入力を受け付ける（ステップＳ２６）。そして、再びステップＳ３１の判定処理に戻る。
【０１２１】
一方、トップメニュー画面２１０にてボタン２１２が押下されると、サーバデバイス２０は、ステップＳ３１の判定処理において、ボタン２１２の押下操作が画像形成デバイス３０への切替操作（画像形成デバイス３０用画面の呼出操作）である旨を判定する。そして、ステップＳ３２に進む。
【０１２２】
ステップＳ３２においては、サーバデバイス２０は、画像形成デバイス３０がスリープ状態を有しているか否かを判定する。
【０１２３】
サーバデバイス２０は、画像形成デバイス３０からのスリープ遷移通知（ステップＳ１２）を既に受領している場合には、画像形成デバイス３０がスリープに遷移している旨を判定する。その場合、サーバデバイス２０は、画像形成デバイス３０をスリープ状態から通常状態へと復帰させるべく、スリープ解除指令（スリープ復帰指令などとも称する）を画像形成デバイス３０に対して送出する（ステップＳ３３）。画像形成デバイス３０は、当該スリープ解除指令に応答して、スリープ状態から通常状態への復帰処理を開始する。
【０１２４】
ただし、通常状態への復帰には上述のように所定程度の時間（たとえば、１０秒程度）を要し、当該所定程度の時間の経過後に画像形成デバイス３０は通常状態に復帰する（図１７参照）。そして、この実施形態では、画像形成デバイス３０は、復帰完了後の移管指令（ステップＳ４１（図１４および図１８参照））の受領時点までの期間（復帰処理期間中を含む）においては、操作表示部４０における表示権限を有しない。当該期間においては、画像形成デバイス３０用の画面は、サーバデバイス２０内の画面データを用いてサーバデバイス２０によって表示される。
【０１２５】
また、画像形成デバイス３０が（スリープ状態ではなく）通常状態を有する場合も、同様に、当該移管指令の受領時点までの期間（復帰処理期間中を含む）においては、画像形成デバイス３０用の画面は、サーバデバイス２０内の画面データを用いてサーバデバイス２０によって表示される。
【０１２６】
具体的には、サーバデバイス２０は、ボタン２１２の押下操作（切替操作）を受け付けた場合、当該切替操作に応じて画像形成デバイス３０に関して表示すべき画面２３０（図７）の画面データＤ１がサーバデバイス２０内に存在する旨を判定し、当該サーバデバイス２０内に設けられた一部の画面データのうち画面データＤ１（Ｄ１１（図１６））を用いて、当該画面（２３０等）を表示する（ステップＳ３４）。すなわち、当該画面２３０は、画像形成デバイス３０内の画面データを用いて表示されるのではなく、サーバデバイス２０内の画面データを用いて表示される。換言すれば、サーバデバイス２０は、操作表示部４０による表示権限を画像形成デバイス３０に移管せずに、当該表示権限を引き続き保持（維持）する。
【０１２７】
そして、サーバデバイス２０は、画面２３０に対するユーザ操作を操作表示部４０を介して受け付ける（ステップＳ３５）。
【０１２８】
次に、操作表示部４０にて表示中の画面２３０（図７）にて受け付けられたユーザ操作が画像形成デバイス３０用の他の画面への遷移指示（デバイス切替指示）である場合、当該他の画面（遷移先の画面）の画面データがサーバデバイス２０内に存在するか否かを判定する（ステップＳ３６）。たとえば、画面２３０内でのユーザ操作がボタン２３１の押下操作である場合、当該押下操作は画像形成デバイス３０用の他の画面２５０（図８）への遷移指示（デバイス切替指示）であると判定され、当該他の画面（遷移先の画面）２３０の画面データＤ１（Ｄ１２（図１６））がサーバデバイス２０内に存在するか否かが判定される。当該遷移先画面の画面データＤ１２がサーバデバイス２０内に存在する場合には、サーバデバイス２０は、当該サーバデバイス２０内に設けられた一部の画面データのうち当該画面データＤ１２を用いて、当該遷移先画面２５０を操作表示部４０に表示する（ステップＳ３７）。
【０１２９】
そして、サーバデバイス２０は、当該画面２５０に対するユーザ操作を操作表示部４０を介して受け付ける（ステップＳ３８）。操作表示部４０にサーバデバイス２０によって表示された画像形成デバイス３０用の画面において受け付けられた操作入力情報は、（画像形成デバイス３０ではなく）サーバデバイス２０に対して出力される。
【０１３０】
その後、ステップＳ３６〜Ｓ３８の動作が繰り返し実行される。
【０１３１】
たとえば、画面２５０内のボタン２５１（図８）が押下されると、遷移先の画面２６０（図１０）がサーバデバイス２０によって操作表示部４０に表示される。当該画面２６０は、サーバデバイス２０内の画面データＤ１（Ｄ１３）（図１７）を用いて表示される。また、サーバデバイス２０は、当該画面２６０に対するユーザ操作を操作表示部４０を介して受け付ける（ステップＳ３８）。各画面内でのユーザ操作（ボタン押下操作等）に応じて設定内容が変更された場合には、サーバデバイス２０は、その設定変更情報を取得しておく。たとえば、画面２６０内のボタン２６１が押下された場合には、用紙サイズ（用紙トレイ）が「Ａ４（トレイ２）」から「Ａ３（トレイ１）」へと変更された旨の設定変更情報がサーバデバイス２０によって取得される。
【０１３２】
このような動作が複数の設定項目に関して繰り返されることによって、各種の設定項目に関する設定内容が変更され得る。たとえば、図９においては、画面２５０内の各種の設定項目に関する設定内容がデフォルト値から他の値へと変更されている状態が示されている。たとえば、設定項目「用紙設定」の設定内容はデフォルト値「Ａ４」から別の値「Ａ３」に変更されており、設定項目「拡大／縮小」の設定内容はデフォルト値「１００％」から別の値「１４１％」に変更されている。また、設定項目「枚数（部数）」の設定内容はデフォルト値「１部」から別の値「１０部」に変更されており、設定目「濃度」の設定内容はデフォルト値「ふつう」から別の値「やや濃く」に変更されており、設定項目「カラー／モノクロ」の設定内容はデフォルト値「グレースケール」から別の値「フルカラー」に変更されている。
【０１３３】
更に、その後、「応用設定」に関する詳細設定画面に遷移するためのボタン２５６（図８）が画面２５０（図８）内で押下されると、この押下操作は画像形成デバイス３０用の他の画面３１０への遷移指示（デバイス切替指示）であると判定され、当該他の画面（遷移先の画面）３１０の画面データＤ２（Ｄ２１）がサーバデバイス２０内に存在するか否かが判定される（ステップＳ３６）。
【０１３４】
ただし、遷移先画面３１０を用いた設定操作が行われる頻度は、所定程度よりも小さいこと（および遷移先画面３１０はメニュー画面階層構造において所定階層よりも深い階層に位置すること）等を考慮して、ここでは当該遷移先画面３１０は、サーバデバイス２０内に存在しない（格納されていない）ものとする。
【０１３５】
当該遷移先画面（切替操作に応じて画像形成デバイス３０に関して表示すべき画面）の画面データＤ２がサーバデバイス２０内に存在しない場合には、ステップＳ４１に進む。そして、サーバデバイス２０は、操作表示部４０での表示権限を画像形成デバイス３０に移管して画像形成デバイス３０によって当該遷移先画面を操作表示部４０に表示させる（ステップＳ４１（図１４および図１８参照））。具体的には、画像形成デバイス３０内に格納された画面データＤ２（Ｄ２１）を用いて、画像形成デバイス３０用の画面３１０が画像形成デバイス３０によって操作表示部４０に表示される。
【０１３６】
より具体的には、サーバデバイス２０は、操作表示部４０における表示権限の移管指令を画像形成デバイス３０に送信するとともに、サーバデバイス２０側にてこの時点までに設定された情報（設定変更情報）と操作表示部４０にて次に表示すべき画面（遷移先画面３１０）の情報（画面識別番号等）とをも画像形成デバイス３０に送信する。このように、サーバデバイス２０は、操作表示部４０での表示権限を画像形成デバイス３０に移管する際に、サーバデバイス２０によって受け付けた設定変更情報、および次に表示すべき画面（遷移先画面）の情報等を画像形成デバイス３０に通知する。
【０１３７】
そして、画像形成デバイス３０は、サーバデバイス２０から受信した情報（移管指令、画面情報、設定変更情報等）に基づいて、遷移先画面３１０（図１１）を操作表示部４０に表示する。
【０１３８】
その後は、画像形成デバイス３０に関する画面遷移は、画像形成デバイス３０によって実行される。画像形成デバイス３０によって表示された画面においては、ステップＳ４１で受信された設定変更情報が反映されることが好ましい。たとえば、操作表示部４０の表示権限が画像形成デバイス３０へと移管された後においても、図９と同様の画面（用紙サイズ「Ａ３」等の設定変更情報が反映された画面）が表示されることが好ましい。
【０１３９】
以上のように、サーバデバイス２０は、画像形成デバイス３０用の複数の画面を操作表示部４０でそれぞれ表示するための複数の画面データのうちの一部の画面データをも有している。そして、サーバデバイス２０は、切替操作Ｍ１を操作表示部４０を介して受け付けた場合において、切替操作Ｍ１に応じて画像形成デバイス３０に関して表示すべき画面の画面データＤ１がサーバデバイス２０内に存在するときには、サーバデバイス２０内の当該画面データＤ１を用いて、当該画面を表示する。換言すれば、サーバデバイス２０は、画像形成デバイス３０内の画面データを用いるのではなく、且つ表示権限を画像形成デバイス３０に移管すること無く、サーバデバイス２０内に設けられた画面データＤ１を用いて当該画面を表示する。すなわち、画面の表示元デバイスの切替操作が行われたとしても、画面の表示元デバイスの切替は常には行われない。したがって、画面の表示元デバイスの切替操作に伴って常にブラックアウト画面が発生することが回避される。換言すれば、画面の表示元デバイスの切替操作に伴うブラックアウト画面の発生が抑制される。
【０１４０】
このように、２つのデバイス２０，３０で共用される操作表示部４０において、画面の表示元デバイスの切替操作に伴って画面がブラックアウトすることを抑制することが可能である。また、サーバデバイス２０によって表示された画面（画面データＤ１等に基づく画面）を用いて、切替後デバイス（画像形成デバイス３０）に関する操作（設定操作）を行うことが可能である。
【０１４１】
ここにおいて、画像形成デバイス３０のジョブに関する一連の設定操作（たとえばメインメニュー画面２３０（図７）から始まる一連の設定操作）が、（画像形成デバイス３０内の画面データを用いることなく）サーバデバイス２０内の画面データを用いて実行されて当該ジョブに関する設定処理が完了することが好ましい。この場合、画像形成デバイス３０のジョブに関する一連の設定操作中においては画面の表示元デバイスの切替が生じない。
【０１４２】
換言すれば、画像形成デバイス３０のジョブに関する一連の設定操作が、（画像形成デバイス３０への切替を伴わずに）サーバデバイス２０を用いて完遂される可能性が高くなるように、画像形成デバイス３０用の画面の画面データがサーバデバイス２０内に予め格納されることが好ましい。詳細には、画像形成デバイス３０に関する複数の設定画面のうち、所定程度よりも高い使用頻度を有する設定画面の画面データが、サーバデバイス２０内に予め格納されるように構成されることが好ましい。
【０１４３】
また、上記実施形態においては、サーバデバイス２０は、表示元デバイスの切替操作を（最初に）受け付けたことに応答して、省電力モードから通常電力モードへの復帰指令（スリープ解除指令）を画像形成デバイス３０に送出する（ステップＳ３３）。したがって、最初の切替操作時点から１つ或いは複数の表示画面がサーバデバイス２０によって表示されている間（サーバデバイス２０が表示権限を維持している間）に、画像形成デバイス３０におけるスリープ復帰処理が完了している可能性を高めることができる。ひいては、スリープ復帰処理完了前における表示元デバイスの切替に伴うブラックアウト（スリープ状態からの復帰に起因するブラックアウト）の発生を抑制しつつ、切替後デバイスに関する操作を行うことが可能である。特に、画像形成デバイス３０がディープスリープ状態を有していたときには、比較的長い期間に亘るブラックアウトの発生を回避ないし抑制することが可能である。また、最初の切替操作時点から１つ或いは複数の表示画面がサーバデバイス２０によって表示されている間（サーバデバイス２０が表示権限を維持している間）に、画像形成デバイス３０におけるスリープ復帰処理を進行させることによって、ブラックアウトの期間を短縮することも可能である。
【０１４４】
なお、ここでは、サーバデバイス２０は、表示元デバイスの切替操作を（最初に）受け付けたことに応答してスリープ解除指令を画像形成デバイス３０に送出しているが、これに限定されない。たとえば、画像形成デバイス３０のジョブに関する設定操作がサーバデバイス２０内の画面データを用いて実行されて当該ジョブに関する設定処理が完了し且つ当該ジョブの開始指示操作（スタートボタンの押下操作等）が行われたときに、当該スリープ解除指令がサーバデバイス２０から当該画像形成デバイス３０へと送出されてもよい。この場合、画像形成デバイス３０のジョブに関する一連の設定操作中（且つ、一連の設定操作が完了するまで）においては、画面の表示元デバイスの切替が結果的には生じない。すなわち、当該一連の設定操作中においては、表示元デバイスの切替に伴ってブラックアウトが発生することを回避することが可能である。
【０１４５】
また、上記実施形態のステップＳ１３にて画像形成デバイス３０からサーバデバイス２０に通知される情報（画像形成デバイス３０の監視対象要素に関する検出情報）は、サーバデバイス２０によって表示される画面に反映されることが好ましい。
【０１４６】
たとえば、スリープ状態への遷移前に画像形成デバイス３０が「トレイ１」の用紙切れの発生を検出している場合には、当該検出情報（「トレイ１」の用紙切れ発生）が画像形成デバイス３０からサーバデバイス２０へとステップＳ１３（図１５）にて通知される。そして、その後にサーバデバイス２０が自デバイス２０内の画面データを用いて画面２６０を表示する際（図１７）には、図１０に代えて図１９に示すような表示が行われることが好ましい。図１９においては、画面２６０内にて「トレイ１」に対応するボタン２６１を選択できないように、当該ボタン２６１に対応する部分がグレーアウトして表示されている。
【０１４７】
あるいは、スリープ状態への遷移前に画像形成デバイス３０が「トナー切れ」の発生を検出している場合には、当該検出情報（「トナー切れ」発生）が画像形成デバイス３０からサーバデバイス２０へとステップＳ１３にて通知される。そして、その後にサーバデバイス２０が自デバイス２０内の画面データを用いて画面２３０を表示している際において更にコピーボタン２３１が押下されたときには、サーバデバイス２０は、コピージョブ（印刷出力を伴うジョブ）の実行継続が不可能であると判断して、画面２５０の代わりに画面２８０（図２０）を表示するようにしてもよい。サーバデバイス２０には、画面２８０の画面データもが予め格納されているものとする。また、サーバデバイス２０には、異常事象発生時（エラー発生時）の画面遷移に関する情報も予め格納されているものとする。たとえば、画面２３０内のボタン２３１（図７）が押下される場合において、「トナー切れ」が発生しているときには、（画面２５０（図８）ではなく例外的に）画面２８０（図２０）に遷移すべき旨の情報等も、サーバデバイス２０内に予め格納されているものとする。
【０１４８】
なお、このような態様においては、画像形成デバイス３０のスリープ移行前に検出情報がサーバデバイス２０によって予め取得されている。したがって、サーバデバイス２０は、当該検出情報に基づく画面を比較的早期に表示することが可能である。たとえば、サーバデバイス２０は、スリープモードに移行していた画像形成デバイス３０を通常電力モードへと復帰させた後に当該画像形成デバイス３０から当該検出情報を取得する場合よりも、当該検出情報を反映した画面を比較的早期に表示することが可能である。あるいは、サーバデバイス２０は、ディープスリープモード（後述）に移行していた画像形成デバイス３０をライトスリープモード（後述）へと復帰させた後に当該画像形成デバイス３０から当該検出情報を取得する場合よりも、当該検出情報を反映した画面を比較的早期に表示することが可能である。
【０１４９】
また、上記実施形態におけるスリープモード（スリープ状態）は、或る１種類の省電力モード（１種類のスリープ状態）である。ただし、本発明は、これに限定されず、当該スリープモードは、複数の段階のスリープモードを有していても良い。たとえば、スリープモード（省電力モード）は、ライトスリープモードとディープスリープモードとを有していてもよい。「ライトスリープモード」は、通常の電力モードにおける消費電力よりも小さな消費電力で動作する電力モードであり、「ディープスリープモード」は、ライトスリープモードにおける消費電力よりも更に小さな消費電力で動作する電力モードである。スリープモード（省電力モード）が複数の段階のスリープモード（サブモード）を有する場合には、上記各実施形態等におけるスリープ復帰処理としては、たとえば、或るスリープモード（ライトスリープモードあるいはディープスリープモード）から通常電力モードに復帰する処理が行われればよい。
【０１５０】
＜２．第２実施形態＞
第２実施形態は、第１実施形態の変形例である。以下では、第１実施形態との相違点を中心に説明する。
【０１５１】
上記第１実施形態においては、図１５に示すように画像形成デバイス３０がスリープモードに移行（ステップＳ１４）した後においては、画像形成デバイス３０の監視対象要素に関する検出情報は、サーバデバイス２０に対して伝達されていない。
【０１５２】
この第２実施形態においては、画像形成デバイス３０が通常電力モードからスリープモード（ここではディープスリープモード）に移行した後においても、画像形成デバイス３０の監視対象要素に関する検出情報（更新情報）がサーバデバイス２０に対して伝達される態様について説明する。
【０１５３】
図２１は、第２実施形態に係る動作の一部を示すタイミングチャートである。
【０１５４】
図２１に示されるように、画像形成デバイス３０が通常電力モードからディープスリープモードに遷移（ステップＳ１４）した後において、操作表示部の利用デバイスに関する切替操作Ｍ１（ボタン２１２（図５）の押下操作等）が（最初に）サーバデバイス２０にて受け付けられる。サーバデバイス２０は、当該切替操作Ｍ１に応答して、ディープスリープモードからライトスリープモードへの復帰指令を画像形成デバイス３０に送信する（図２１のステップＳ１５参照）。画像形成デバイス３０は、当該復帰指令を受け付けると、ディープスリープモードからライトスリープモードへの復帰処理（遷移処理）を実行する（ステップＳ１６）。
【０１５５】
ここにおいて、画像形成デバイス３０内の各種のセンサ（監視対象要素に関する検出情報を検出するセンサ（用紙切れセンサ等））は、ディープスリープモードでは動作不可能であり、且つ、ライトスリープモードでは動作可能である。具体的には、ディープスリープモードでは当該各種センサに対する電力供給は停止しており、ライトスリープモードでは当該各種センサに対する電力供給は再開される。
【０１５６】
ライトスリープモードへのモード遷移処理によって、画像形成デバイス３０内の各種のセンサ（用紙切れセンサ等）は、動作可能な状態に遷移する。また、画像形成デバイス３０は、ライトスリープモードにおいては、画像形成デバイス３０内のサブＣＰＵ（サブコントローラ）等を用いて、各種情報をサーバデバイス２０との間で授受することが可能である。なお、画像形成デバイス３０がディープスリープモードからライトスリープモードに既に遷移している場合には、ライトスリープモードへのモード遷移動作は不要である。
【０１５７】
このようなライトスリープモードへの状態遷移後且つ当該ライトスリープモードでの動作中において上述の各種センサによって検出された情報が、画像形成デバイス３０からサーバデバイス２０に送信される。より具体的には、図２１に示されるように、画像形成デバイス３０は、ライトスリープモードに移行（ステップＳ１６）した後に、上述の各種センサによって監視対象要素に関する検出情報を検出する。そして、ライトスリープモードにて検出された新たな検出情報（遷移後情報）と、通常電力モードから省電力モード（たとえばディープスリープモード）へのモード遷移直前に検出され且つ予めサーバデバイス２０に送信されていた検出情報（遷移直前情報）とが比較される（ステップＳ１８）。そして、ライトスリープモードにて検出された新たな検出情報（遷移後情報）が、通常電力モードから省電力モード（たとえばディープスリープモード）へのモード遷移直前に検出され且つ予めサーバデバイス２０に送信されていた検出情報（遷移直前情報）に対して変更されているときには、当該新たな検出情報（遷移後情報あるいは変更情報とも称する）がサーバデバイス２０に送信される（ステップＳ１９）。
【０１５８】
そして、サーバデバイス２０は、当該新たな検出情報を受信すると、当該新たな検出情報に基づいてサーバデバイス２０による画面表示制御を実行する。
【０１５９】
たとえば、ディープスリープモードへの遷移前に画像形成デバイス３０が「トレイ１」の用紙切れの発生を検出していた場合において、ディープスリープモードへの遷移後に「トレイ１」に対する用紙補充が行われた状況を想定する。この状況において、ライトスリープモードへの遷移後に「トレイ１」に対する用紙補充が行われた旨の情報が新たな検出情報（変更情報）として検出される（ステップＳ１７，Ｓ１８）と、当該新たな検出情報（変更情報）が（「トレイ１」の用紙補充完了）が画像形成デバイス３０からサーバデバイス２０へと通知される（ステップＳ１９）。その後、サーバデバイス２０が自デバイス２０内の画面データを用いて画面２６０を表示する際には、図１９ではなく図１０に示すような画面（画面２６０内にて「トレイ１」に対応するボタン２６１を選択することが可能な画面）が表示されればよい。
【０１６０】
また、このような変更情報は、当該変更情報が発生する度に画像形成デバイス３０からサーバデバイス２０に通知されることが好ましい。端的に言えば、当該変更情報はリアルタイムで通知されることが好ましい。
【０１６１】
＜３．第３実施形態＞
第３実施形態は、第２実施形態の変形例である。以下では、第２実施形態との相違点を中心に説明する。
【０１６２】
上記第２実施形態においては、変更情報が検出されると、画像形成デバイス３０からサーバデバイス２０へと当該変更情報が常に通知される態様が例示されているが、これに限定されない。
【０１６３】
たとえば、図２２に示すように、画像形成デバイス３０の監視対象要素に関する検出情報に関する最新情報をサーバデバイス２０に対して通知すべき旨の最新情報通知要求がサーバデバイス２０から画像形成デバイス３０へと送信（通知）され（ステップＳ１９ｂ）、当該最新情報通知要求に応じて当該最新情報が画像形成デバイス３０からサーバデバイス２０に送信（通知）される（ステップＳ１９ｃ）ようにしてもよい。そして、サーバデバイス２０は、当該最新情報を反映させた状態の画面を操作表示部４０に表示させるようにしてもよい。
【０１６４】
また、当該最新情報通知要求は、複数の情報項目のうちの特定項目（一部の項目）の検出情報に関する最新情報を（画像形成デバイス３０等に対して）通知すべき旨の通知要求であることが好ましい。画像形成デバイス３０は、当該最新情報通知要求に応じて、複数の情報項目のうちの特定項目のみの検出情報に関する最新情報をサーバデバイス２０に通知すればよい。
【０１６５】
たとえば、画面２３０（図７）内のボタン２３２が押下された場合（スキャン機能利用時）には、スキャン機能に関する検出情報（ＡＤＦに載置された原稿のサイズ情報等）に関する最新情報の通知要求（最新情報通知要求）がサーバデバイス２０から画像形成デバイス３０に送信される（ステップＳ１９ｂ）。そして、当該最新情報通知要求に応じて、スキャン機能に関する検出情報の最新情報のみが画像形成デバイス３０からサーバデバイス２０に通知される（ステップＳ１９ｃ）。一方、スキャン機能に関する検出情報以外の検出情報、たとえばプリント機能に関する検出情報（給紙トレイ内の用紙サイズ情報、給紙トレイ内の用紙切れの有無に関する情報、トナー切れの有無に関する情報等）に関する最新情報は、画像形成デバイス３０からサーバデバイス２０に通知されない。
【０１６６】
これによれば、情報授受（および画面表示）のリアルタイム性は上記第２実施形態よりは劣るものの、複数の情報のうち必要な情報を必要な時に得ることができる。換言すれば、サーバデバイス２０は、画像形成デバイス３０用の画面遷移の状況に基づく所要の情報を画像形成デバイス３０から適時に取得することが可能である。したがって、両デバイス２０，３０相互間での通信量を低減することが可能である。
【０１６７】
なお、このような態様に関して、ディープスリープモードからライトスリープモードへの移行指令は、（最初の）最新情報通知要求の通知タイミングとほぼ同じタイミングで画像形成デバイス３０に通知されればよい。なお、これに限定されず、それよりも前の時点（たとえば比較的上位階層のメニュー画面２１０（図５）でボタン２１２が押下された時点（画面２３０への切替操作Ｍ１時点））で当該移行指令が通知されてもよい。
【０１６８】
＜４．変形例等＞
以上、この発明の実施の形態について説明したが、この発明は上記説明した内容のものに限定されるものではない。
【０１６９】
たとえば、上記第２実施形態および第３実施形態においては、画像形成デバイス３０が通常電力モードからディープスリープモードに移行し更にライトスリープモードに移行した後に、画像形成デバイス３０の監視対象要素に関する検出情報がサーバデバイス２０に対して伝達されている（図２１のステップＳ１５〜Ｓ１９等参照）が、これに限定されない。
【０１７０】
具体的には、上記第１実施形態と同様の態様（図１５参照）において、画像形成デバイス３０がスリープモードに移行（ステップＳ１４）した後、且つ、当該スリープモードから通常モードに復帰した後（図１７参照）に、画像形成デバイス３０の監視対象要素に関する検出情報（新たな検出情報）が、サーバデバイス２０に対して送信されるようにしてもよい。そして、当該新たな検出情報（画像形成デバイス３０の監視対象要素に関する検出情報）が、サーバデバイス２０によって表示される画面に反映されるようにしてもよい。
【０１７１】
また、上記各実施形態においては、サーバデバイス２０は、操作表示部４０のタッチパネル４５に表示されたソフトウエアキーに対する押下操作が行われると、操作表示部４０における表示権限を画像形成デバイス３０に移管するか否かに関する判定を行っているが、これに限定されない。
【０１７２】
たとえば、操作表示部４０に設けられたハードウエアキー（たとえばカスタマイズキー）に対する押下操作に応答して、当該判定が行われるようにしてもよい。
【０１７３】
より詳細には、比較的深い階層（所定レベルよりも深い階層）のメニュー画面（且つ、サーバデバイス２０内に格納されていないメニュー画面（設定画面））の呼出操作に割り当てられたカスタマイズキーが押下される場合には、操作表示部４０における表示権限を画像形成デバイス３０に移管する旨が判定されるようにしてもよい。逆に、比較的浅い階層のメニュー画面（且つ、サーバデバイス２０内に格納されているメニュー画面（設定画面））の呼出操作に割り当てられたカスタマイズキーが押下される場合には、操作表示部４０における表示権限を引き続き保持（維持する）旨が判定されるようにしてもよい。
【０１７４】
あるいは、操作表示部４０の画面遷移操作と画像形成デバイス３０の操作表示部４０以外の部分に対するユーザ操作との複合操作に基づいて切替操作が行われる場合にも本発明を適用することが可能である。たとえば、画面２３０（図７）においてスキャンボタン２３２が押下されてスキャン機能の利用が意図されていると判断される状況において、ＵＳＢメモリがユーザによって画像形成デバイス３０（詳細には、そのＵＳＢメモリ装着端子）に装着された場合には、画像形成デバイス３０への切替操作が行われた旨が判定されてもよい。また、この場合において、ＵＳＢメモリに関する保存先フォルダ等を設定するための画面（保存先設定画面）がサーバデバイス２０内に格納されていないときには、操作表示部４０における表示権限を画像形成デバイス３０に移管する旨が判定されればよい。
【０１７５】
あるいは、画像形成デバイス３０の操作表示部４０以外の部分に対するユーザ操作のみに基づいて切替操作が行われる場合にも本発明を適用することが可能である。たとえば、ＵＳＢメモリがユーザによって画像形成デバイス３０（詳細には、そのＵＳＢメモリ装着端子）に装着された場合には、画像形成デバイス３０への切替操作が行われた旨が判定されてもよい。また、この場合において、ＵＳＢメモリに関する操作メニュー画面（ＵＳＢメモリからの読出処理とＵＳＢへの書込処理とを選択するための画面等）がサーバデバイス２０内に格納されていないときには、操作表示部４０における表示権限を画像形成デバイス３０に移管する旨が判定されればよい。
【０１７６】
また、上記各実施形態においては、トップメニュー画面２１０（図５）においては、画像形成デバイス３０向けには、１つのボタン２１２が設けられているが、これに限定されない。たとえば、図２３（特に右側のボタン列を参照）に示すように、トップメニュー画面２１０において画像形成デバイス３０向けの複数のボタン（たとえば、１つ下の階層の画面２３０（図７）に設けられていたボタン２３１〜２３４と同様のボタン）が設けられるようにしてもよい。そして、これらの複数のボタン（コピーボタン等を含む右側のボタン列）のいずれかの押下操作が画像形成デバイス３０の切替操作として行われる場合に、上記の思想が適用されるようにしてもよい。
【符号の説明】
【０１７７】
１０  ＭＦＰ
２０  サーバデバイス
３０  画像形成デバイス
４０  操作表示部
４１  パネル制御部
４５  タッチパネル
２３０，２５０，２６０  （サーバデバイス内に保存される）画像形成デバイス用画面
３１０  （画像形成デバイス内に保存される）画像形成デバイス用画面
【図１】
2018134845.tif 000003
【図２】
2018134845.tif 000004
【図３】
2018134845.tif 000005
【図４】
2018134845.tif 000006
【図５】
2018134845.tif 000007
【図６】
2018134845.tif 000008
【図７】
2018134845.tif 000009
【図８】
2018134845.tif 000010
【図９】
2018134845.tif 000011
【図１０】
2018134845.tif 000012
【図１１】
2018134845.tif 000013
【図１２】
2018134845.tif 000014
【図１３】
2018134845.tif 000015
【図１４】
2018134845.tif 000016
【図１５】
2018134845.tif 000017
【図１６】
2018134845.tif 000018
【図１７】
2018134845.tif 000019
【図１８】
2018134845.tif 000020
【図１９】
2018134845.tif 000021
【図２０】
2018134845.tif 000022
【図２１】
2018134845.tif 000023
【図２２】
2018134845.tif 000024
【図２３】
2018134845.tif 000025
【図２４】
2018134845.tif 000026